(57)【要約】【課題】効率よく要望するアトラクションを回ることができる推奨ルートの情報を提供する。【解決手段】情報提供システム１１は、テーマパーク内に設けられた複数のアトラクションをユーザーが順次回る際の推奨ルートマップの情報を提供する。サーバー１２は、要求受け付け部１４と、情報取得部１５と、推奨ルートマップ作成部１６と、サーバー情報送信部１７とを備える。情報取得部１５は、要求受け付け部１４により推奨ルートマップの作成の要求を受け付けられれば、ユーザーに関する情報を取得する。推奨ルートマップ作成部１６は、情報取得部１５により取得された情報およびデータベース１３に蓄積された情報を基に、推奨ルートマップを作成する。サーバー情報送信部１７は、推奨ルートマップ作成部１６により作成された推奨ルートマップの情報を出力装置に送信する。【選択図】図１
2017182645.tif 000002
【特許請求の範囲】
【請求項１】
テーマパーク内に設けられた複数のアトラクションをユーザーが順次回る際の推奨ルートマップの情報を提供する情報提供システムであって、
前記アトラクションに関する情報を蓄積したデータベースを有するサーバーと、前記サーバーとインターネットを介して通信可能であり、前記推奨ルートマップの情報を出力する出力装置とを備え、
前記サーバーは、
前記推奨ルートマップの作成の要求を受け付ける要求受け付け部と、
前記要求受け付け部により前記推奨ルートマップの作成の要求を受け付けられれば、前記ユーザーに関する情報を取得する情報取得部と、
前記情報取得部により取得された前記情報および前記データベースに蓄積された情報を基に、前記推奨ルートマップを作成する推奨ルートマップ作成部と、
前記推奨ルートマップ作成部により作成された前記推奨ルートマップの情報を前記出力装置に送信するサーバー情報送信部とを備える、情報提供システム。
【請求項２】
前記情報取得部は、前記ユーザーからの要求の情報を取得する、請求項１に記載の情報提供システム。
【請求項３】
前記情報取得部は、前記ユーザーが過去に訪問した前記アトラクションの情報を取得する、請求項１または２に記載の情報提供システム。
【請求項４】
前記推奨ルートマップ作成部は、前記情報取得部により前記ユーザーが過去に訪問した前記アトラクション以外の前記アトラクションを優先して回るように前記推奨ルートマップを作成する、請求項３に記載の情報提供システム。
【請求項５】
前記データベースには、前記アトラクション毎の待ち時間の情報が蓄積されており、
前記推奨ルートマップ作成部は、前記待ち時間の情報に基づいて前記推奨ルートマップを作成する、請求項１〜４のいずれか１項に記載の情報提供システム。
【請求項６】
前記テーマパーク内に設けられており、前記アトラクションを撮影する撮影部と、
前記撮影部により撮影された映像を解析する解析部と、
前記解析部による解析結果の情報を前記データベースに蓄積するよう制御するデータベース制御部とをさらに備える、請求項１〜５のいずれか１項に記載の情報提供システム。
【請求項７】
前記出力装置は、
前記サーバーに対して、情報を送信する携帯端末装置情報送信部と、
前記情報を表示可能な表示部と、
前記サーバー情報送信部から送信される前記推奨ルートマップの情報を受信する携帯端末装置情報受信部と、
前記携帯端末装置情報受信部により受信された前記推奨ルートマップの情報を前記表示部に表示するよう制御する表示制御部とを含む携帯端末装置を備える、請求項１〜６のいずれか１項に記載の情報提供システム。
【請求項８】
前記推奨ルートマップ作成部は、前記携帯端末装置から送信される情報に基づき、作成した前記推奨ルートマップを変更するルートマップ変更部を含む、請求項７に記載の情報提供システム。
【請求項９】
前記携帯端末装置は、その位置情報を取得するＧＰＳ機能を有し、
前記携帯端末装置情報送信部は、前記携帯端末装置のその時の前記位置情報を前記サーバーに送信し、
前記情報取得部は、前記携帯端末装置情報送信部により送信された前記携帯端末装置の位置情報および時間情報を取得し、
前記サーバー情報送信部は、前記データベースに蓄積された情報に基づき、前記携帯端末装置の位置情報および時間情報から、前記携帯端末装置の近傍にある前記アトラクションに関する情報を送信し、
前記表示制御部は、前記サーバー情報送信部から送信された前記アトラクションに関する情報を前記表示部に表示するよう制御する、請求項７または８に記載の情報提供システム。
【請求項１０】
前記テーマパーク内の所定の箇所に設けられ、印刷が可能な印刷装置をさらに備え、
前記印刷装置は、前記推奨ルートマップ作成部により作成された前記推奨ルートマップの情報を前記サーバーから前記印刷装置に対して送信可能にするＩＤデータの入力を受け付けるＩＤデータ入力受け付け部と、
前記ＩＤデータ入力受け付け部により前記ＩＤデータの入力が受け付けられれば、前記サーバーから前記インターネットを介して、前記推奨ルートマップの情報をダウンロードし、ダウンロードした前記推奨ルートマップの情報を基に画像を形成して印刷する印刷部とを含む、請求項１〜９のいずれか１項に記載の情報提供システム。
【発明の詳細な説明】
【技術分野】
【０００１】
この発明は、情報提供システムに関するものである。
【背景技術】
【０００２】
遊園地や動物園といったテーマパーク内においては、複数のアトラクションや動物の展示箇所が設けられている。テーマパークを訪問したユーザーは、より効率的にアトラクションを回りたいものである。
【０００３】
ここで、ユーザーの過去の行動に応じてこれからの訪問に適した場所に関する情報を提供する技術が、特開２０１０−１９６４１号公報（特許文献１）に開示されている。
【先行技術文献】
【特許文献】
【０００４】
【特許文献１】特開２０１０−１９６４１号公報
【発明の概要】
【発明が解決しようとする課題】
【０００５】
テーマパークを訪れたユーザーは、時間的にできるだけ効率よく複数のアトラクションを回るために、例えば、テーマパーク内に設けられた電光掲示板に表示された待ち時間の情報を取得して、アトラクションを回る順序を考える。すなわち、ユーザーは、表示されたアトラクションの待ち時間ができるだけ少なくなるように、アトラクションを回る順序を自らが構築する。
【０００６】
しかし、このような単に待ち時間の情報のみに依拠してアトラクションを回る順序を決めるとすると、必ずしもユーザーの望み通りにアトラクションを回ることができないおそれがある。このような場合に、上記した特許文献１に開示の技術では、対応することは困難である。
【０００７】
この発明の目的は、効率よく要望するアトラクションを回ることができる推奨ルートの情報を提供する情報提供システムを提供することである。
【課題を解決するための手段】
【０００８】
この発明の情報提供システムは、テーマパーク内に設けられた複数のアトラクションをユーザーが順次回る際の推奨ルートマップの情報を提供する。情報提供システムは、サーバーと、出力装置とを備える。サーバーは、アトラクションに関する情報を蓄積したデータベースを有する。出力装置は、サーバーとインターネットを介して通信可能であり、推奨ルートマップの情報を出力する。サーバーは、要求受け付け部と、情報取得部と、推奨ルートマップ作成部と、サーバー情報送信部とを備える。要求受け付け部は、推奨ルートマップの作成の要求を受け付ける。情報取得部は、要求受け付け部により推奨ルートマップの作成の要求を受け付けられれば、ユーザーに関する情報を取得する。推奨ルートマップ作成部は、情報取得部により取得された情報およびデータベースに蓄積された情報を基に、推奨ルートマップを作成する。サーバー情報送信部は、推奨ルートマップ作成部により作成された推奨ルートマップの情報を出力装置に送信する。
【発明の効果】
【０００９】
このような情報提供システムによれば、ユーザーに関する情報およびデータベースに蓄積された情報を基に作成された推奨ルートマップを基に、ユーザーは、テーマパーク内のアトラクションを回ることができる。そうすると、アトラクションにおけるイベントの開始時間を待ったり、混雑度合いと時間の兼合いによって行きたかったアトラクションの訪問を断念したりするといった状況を回避することができる。したがって、効率よく要望するアトラクションを回ることができる。
【図面の簡単な説明】
【００１０】
【図１】この発明の一実施形態に係る情報提供システムの構成を示すブロック図である。
【図２】図１に示す情報提供システムを用いて情報提供を行う場合の処理の流れを示すフローチャートである。
【図３】データベースに蓄積されている情報の概念図、および複数のアトラクションが設けられたテーマパークの概略を示す図である。
【図４】テーマパークを動物園とした場合のデータベースに蓄積されている情報の概念図である。
【図５】携帯端末装置を所有するユーザーがアトラクションＡ１の近傍に着いた場合のテーマパーク内の状況を示す概念図である。
【図６】待ち時間の情報を付加したデータベースに蓄積されている情報の概念図である。
【図７】印刷装置が設けられたテーマパーク内の状況を示す概念図である。
【図８】この発明の他の実施形態に係る情報提供システムを用いて、ユーザーが、推奨ルートマップの情報を取得する場合の処理の流れを示すフローチャートである。
【発明を実施するための形態】
【００１１】
以下、この発明の実施の形態を説明する。図１は、この発明の一実施形態に係る情報提供システムの構成を示すブロック図である。なお、図１中の矢印は、制御信号や制御、データの流れを示している。
【００１２】
図１を参照して、情報提供システム１１は、テーマパーク内に設けられた複数のアトラクションをユーザーが順次回る際の推奨ルートマップの情報を提供する。推奨ルートマップは、ユーザーがテーマパークを訪れた際に、ユーザーの要望およびアトラクションの状況等を考慮し、効率よく回ることができるよう推奨されたルートマップである。すなわち、ユーザーは、推奨ルートマップに沿ってテーマパーク内のアトラクションを回れば、効率的にアトラクションを回ることができるものである。
【００１３】
情報提供システム１１は、サーバー１２と、出力装置としての携帯端末装置２１とを備える。携帯端末装置２１は、テーマパークを訪れるユーザーによって所有されるものである。サーバー１２は、例えば、テーマパークの外部に設けられている。サーバー１２は、具体的には、例えば、テーマパークを運営する運営者によって管理されている。サーバー１２は、アトラクションに関する情報を蓄積したデータベース１３を有する。サーバー１２は、いわゆるデータベースサーバーである。
【００１４】
サーバー１２は、要求受け付け部１４と、情報取得部１５と、推奨ルートマップ作成部１６と、サーバー情報送信部１７とを備える。要求受け付け部１４は、推奨ルートマップの作成の要求を受け付ける。情報取得部１５は、要求受け付け部１４により推奨ルートマップの作成の要求を受け付けられれば、ユーザーに関する情報を取得する。推奨ルートマップ作成部１６は、情報取得部１５により取得された情報およびデータベース１３に蓄積された情報を基に、推奨ルートマップを作成する。サーバー情報送信部１７は、推奨ルートマップ作成部１６により作成された推奨ルートマップの情報を携帯端末装置２１に送信する。この場合、インターネット２０を介して携帯端末装置２１に送信する。
【００１５】
ここで、情報取得部１５は、ユーザーからの要求の情報を取得する。具体的には、テーマパーク内の複数のアトラクションの中から、ユーザーが訪問を要求するアトラクションの情報を取得する。また、情報取得部１５は、ユーザーが過去に訪問したアトラクションの情報を取得する。この場合、携帯端末装置２１からの入力により、過去に訪問したアトラクションの情報を取得することにしてもよいし、サーバー１２に記憶され、過去に作成したユーザーの推奨ルートマップの情報から、過去に訪問したアトラクションの情報を取得することにしてもよい。さらには、過去に携帯端末装置２１を携帯して訪問していた場合において、携帯端末装置２１の位置情報およびその時の時間情報をＧＰＳ機能によって取得し、記憶された携帯端末装置２１の位置情報および時間情報、アトラクションの位置関係から訪問したアトラクションを割り出して取得することにしてもよい。
【００１６】
携帯端末装置２１は、サーバー１２とインターネット２０を介して通信可能である。携帯端末装置２１は、推奨ルートマップの情報を出力する。携帯端末装置２１は、携帯端末装置情報送信部２２と、表示部２３と、携帯端末装置情報受信部２４と、表示制御部２５とを備える。携帯端末装置情報送信部２２は、サーバー１２に対して、情報を送信する。なお、携帯端末装置情報送信部２２は、推奨ルートマップの作成の要求の情報も、サーバー１２に送信可能である。この場合、インターネット２０を介して、サーバー１２に情報を送信する。表示部２３は、情報を表示可能である。表示部２３は、いわゆるタッチパネル機能を有する携帯端末装置２１のディスプレイである。携帯端末装置情報受信部２４は、サーバー情報送信部１７から送信される推奨ルートマップの情報を受信する。表示制御部２４は、携帯端末装置情報受信部２４により受信された推奨ルートマップの情報を表示部２３に表示するよう制御する。
【００１７】
次に、情報提供システム１１を用いて、ユーザーが、推奨ルートマップの情報を取得する場合の処理の流れについて説明する。図２は、情報提供システム１１を用いて、ユーザーが、推奨ルートマップの情報を取得する場合の処理の流れを示すフローチャートである。図３は、データベース１３に蓄積されている情報の概念図、および複数のアトラクションが設けられたテーマパークの概略を示す図である。この場合、ユーザーは、上記した携帯端末装置２１を所有しているものとする。
【００１８】
ここで、簡単にテーマパークの構成について説明する。図３を参照して、テーマパーク３１内には、入口３２と、出口３３と、アトラクションＡ１、アトラクションＢ１、アトラクションＣ１、アトラクションＤ１、という四つの異なるアトラクションが設けられている。各アトラクションＡ１〜Ｄ１は、それぞれ異なる領域３４ａ、３４ｂ、３４ｃ、３４ｄに設けられている。また、各アトラクションＡ１〜Ｄ１では、それぞれイベントが開催されており、イベントの開催時間も、アトラクションＡ１〜Ｄ１での滞在予想時間も、それぞれ異なっている。
【００１９】
これらの情報は、サーバー１２のハードディスク１８内に格納されているデータベース１３における情報として蓄積されている。具体的には、データベース１３には、アトラクションＡ１について、イベント開始時間を１０：００、１１：００、１２：００、…とし、滞在予想時間として３０分とする情報２６ａが蓄積されている。また、データベース１３には、アトラクションＢ１について、イベント開始時間を１０：００、１０：３０、１１：００、１１：３０…とし、滞在予想時間として１５分とする情報２６ｂが蓄積されている。また、アトラクションＣ１、アトラクションＤ１についても、それぞれイベント開始時間、および滞在予想時間の情報２６ｃ、２６ｄが蓄積されている。
【００２０】
図１〜図３を参照して、ユーザーは、携帯端末装置２１からサーバー１２に対して、推奨ルートマップの作成を要求する。そうすると、要求受け付け部１４は、推奨ルートマップの作成の要求を受け付ける（図２において、ステップＳ１１、以下、「ステップ」を省略する）。
【００２１】
次に、要求受け付け部１４により推奨ルートマップの作成の要求を受け付けられれば、ユーザーからの要望が入力されたか否かを判断する（Ｓ１２）。そして、要望の情報が入力されれば（Ｓ１２において、ＹＥＳ）、情報取得部１５は、この情報を取得する（Ｓ１３）。この場合、例えば、情報取得部１５が、ユーザーの所有する携帯端末装置情報送信部２２から、必ず訪れたいアトラクションに関する情報が送信されたか否かにより判断される。なお、ユーザーからの要望が入力されていなければ（Ｓ１２において、ＮＯ）、次のステップへ進む。
【００２２】
次に、サーバー１２は、推奨ルートマップの作成を要望したユーザーが、過去にテーマパーク３１を訪れたことがあるか否かを判断する。この場合、推奨ルートマップの作成を要望したユーザーの過去の訪問の履歴情報があるか否か等を判断する（Ｓ１４）。具体的には、例えば、該当するユーザーの要求に基づき、過去に作成した推奨ルートマップの情報がサーバー１２のハードディスク１８に格納されているか否かにより判断される。過去の訪問の履歴情報があれば（Ｓ１４において、ＹＥＳ）、情報取得部１５は、過去の訪問の履歴情報を取得する（Ｓ１５）。なお、過去の訪問の履歴情報がなければ（Ｓ１４において、ＮＯ）、次のステップへ進む。
【００２３】
そして、推奨ルートマップ作成部１６は、情報取得部１５により取得した情報、およびデータベース１３に蓄積された情報２６ａ、２６ｂ、２６ｃ、２６ｂを基に、アトラクションＡ１〜Ｄ１を効率よく回る推奨ルートマップを作成する（Ｓ１７）。具体的には、例えば、訪れたいアトラクションを盛り込み、滞在時間や移動時間、アトラクションが設けられた領域３４ａ〜３４ｄの位置等を考慮して作成する。
【００２４】
その後、サーバー情報送信部１７は、作成した推奨ルートマップの情報を携帯端末装置２１に送信する（Ｓ１８）。そうすると、携帯端末装置情報受信部２４は、送信された推奨ルートマップの情報を受信する。そして、表示制御部２５は、携帯端末装置情報受信部２４により受信された推奨ルートマップの情報を表示部２３に表示するよう制御する（Ｓ１９）。
【００２５】
このような情報提供システム１１によれば、ユーザーに関する情報およびデータベース１３に蓄積された情報を基に作成された推奨ルートマップを基に、ユーザーは、テーマパーク３１内のアトラクションを回ることができる。そうすると、アトラクションにおけるイベントの開始時間を待ったり、混雑度合いと時間の兼合いによって行きたかったアトラクションの訪問を断念したりするといった状況を回避することができる。したがって、効率よく要望するアトラクションを回ることができる。
【００２６】
この場合、情報取得部１５は、ユーザーからの要求の情報を取得しているため、よりユーザーの満足度の高い推奨ルートマップを作成することができる。
【００２７】
また、この場合、情報取得部１５は、ユーザーが過去に訪問したアトラクションの情報を取得しているため、ユーザーがいわゆるリピーターであった場合にも、適切な推奨ルートマップを作成することができる。
【００２８】
具体的には、推奨ルートマップ作成部１６は、情報取得部１５によりユーザーが過去に訪問したアトラクション以外のアトラクションを優先して回るように推奨ルートマップを作成するようにしてもよい。こうすることにより、リピーターとしてのユーザーは、より効率的にアトラクションを回ることができる。この場合、過去と現在との双方の推奨ルートマップを出力して表示し、ユーザーにその違いを楽しんでもらうようにしてもよい。
【００２９】
また、上記の実施の形態においては、テーマパーク３１が遊園地等であって、アトラクションを乗り物等とすることとしたが、これに限らず、テーマパーク３１が、動物園であって、アトラクションが、各動物の展示箇所であってもよい。
【００３０】
図４は、この場合のデータベース１９に蓄積されている情報の概念図である。図４を参照して、データベース１９には、動物と活動時間と滞在予想時間との関係の情報２７ａ、２７ｂ、２７ｃ、２７ｄが蓄積されている。具体的には、データベース１９には、動物Ａ１について、活動時間を１０時〜１７時とし、滞在予想時間として１０分という情報２７ａが蓄積されている。また、データベース１９には、動物Ｂ１について、活動時間を１２時〜１４時とし、滞在予想時間として１分という情報２７ｂが蓄積されている。また、動物Ｃ１、動物Ｄ１についても、それぞれ活動時間、および滞在予想時間の情報２７ｃ、２７ｄが蓄積されている。
【００３１】
なお、このような活動時間や、上記した滞在予想時間については、テーマパーク３１内に設けられた撮影カメラによる映像を解析して、情報を算出するようにしてもよい。すなわち、情報提供システム１１は、テーマパーク３１内に設けられており、アトラクションを撮影する撮影部と、撮影部により撮影された映像を解析する解析部と、解析部による解析結果の情報をデータベースに蓄積するよう制御するデータベース制御部とを備える構成としてもよい。具体的には、テーマパーク３１を動物園とした場合、定点カメラによって撮影した映像から、動物が動いている時間帯を、例えば、ディープラーニング機能等により解析して算出する。この時間帯を活動時間としてデータベース１９の情報として蓄積する。このように構成してもよい。
【００３２】
また、上記の実施の形態において、携帯端末装置２１を所有するユーザーの位置情報に応じて、サーバー１２は、近傍にあるアトラクションに関する情報を携帯端末装置２１に送信することにしてもよい。すなわち、携帯端末装置２１は、その位置情報を取得するＧＰＳ（Ｇｌｏｂａｌ  Ｐｏｓｉｔｉｏｎｉｎｇ  Ｓｙｓｔｅｍ）機能を有する。携帯端末装置情報送信部２２は、携帯端末装置２１のその時の位置情報をサーバー１２に送信する。情報取得部１５は、携帯端末装置情報送信部２２により送信された携帯端末装置２１の位置情報および時間情報を取得する。サーバー情報送信部１７は、データベース１３に蓄積された情報に基づき、携帯端末装置２１の位置情報および時間情報から、携帯端末装置２１の近傍にあるアトラクションに関する情報を送信する。表示制御部２５は、サーバー情報送信部１７から送信されたアトラクションに関する情報を表示部２３に表示するよう制御する。このように構成することにしてもよい。
【００３３】
図５は、この場合のテーマパーク内の状況を示す概念図である。図５を参照して、携帯端末装置２１を所有するユーザーは、テーマパーク３１内において、アトラクションＡ１が設けられている領域３４ａの近傍に到着したとする。その時、携帯端末装置情報送信部２２は、その時の時間情報、およびＧＰＳ機能により取得した位置情報をサーバー１２に送信する。サーバー１２は、データベース１３から、アトラクションＡ１に関する情報を抽出し、サーバー情報送信部１７により携帯端末装置２１に情報を送信する。携帯端末装置情報受信部２２は、情報を受信し、表示制御部２５により表示部２３に表示される。このように構成することにより、携帯端末装置２１を所有するユーザーに対して、近傍のアトラクションＡ１に関する情報を提供して、ユーザーの要求に応えることができる。なお、このようにして取得された位置情報および時間情報については、過去にユーザーが訪問した履歴情報として利用することができる。なお、ユーザーの過去の訪問の履歴情報については、テーマパーク３１内に設けられた複数の監視カメラにより撮影された画像に基づいて、導出するようにしてもよい。また、ユーザーの過去の履歴情報については、どのアトラクションにもう一度行きたいか思い出すための補助の情報として、携帯端末装置２１の表示部２４に表示制御部２４によって適宜表示させるようにしてもよい。
【００３４】
ここで、ユーザーは、携帯端末装置２１から、推奨ルートマップの変更を要求し、推奨ルートマップ作成部１６は、要求に応じて、推奨ルートマップを変更してもよい。すなわち、推奨ルートマップ作成部１６は、携帯端末装置２１から送信される情報に基づき、作成した推奨ルートマップを変更するルートマップ変更部を含む構成としてもよい。こうすることにより、より実情に即した推奨ルートマップを提供することができる。
【００３５】
なお、データベース１３には、アトラクション毎の待ち時間の情報が蓄積されており、推奨ルートマップ作成部１６は、待ち時間の情報に基づいて推奨ルートマップを作成するようにしてもよい。こうすることにより、より効率的にユーザーが要望するアトラクションを回ることができる。
【００３６】
図６は、この場合のデータベース２８に蓄積されている情報の概念図である。図６を参照して、データベース２８には、図３に示す情報２６ａ〜２６ｄの内容に加え、待ち時間に関する情報が付加された情報２９ａ、２９ｂ、２９ｃ、２９ｄが蓄積されている。このような構成とすることにより、より効率的にユーザーがアトラクションを回ることができる。すなわち、このような情報２９ａ〜２９ｄを提要することにより、アトラクションＡ１〜Ｄ１における混雑度合いの分散を図ることができる。
【００３７】
なお、上記の実施の形態においては、携帯端末装置２１から推奨ルートマップの作成を要求することとしたが、これに限らず、ユーザーは、例えば、自宅のコンピューターからサーバー１２に対して、推奨ルートマップの作成を要求することにしてもよい。また、ユーザーは、推奨ルートマップの出力を、テーマパーク内に設けられた印刷装置による印刷により行ってもよい。
【００３８】
すなわち、情報提供システムは、テーマパーク内の所定の箇所に設けられ、印刷が可能な印刷装置をさらに備える構成である。印刷装置は、ＩＤデータ入力受け付け部と、印刷部とを備える。ＩＤデータ入力受け付け部は、推奨ルートマップ作成部１６により作成された推奨ルートマップの情報をサーバー１２から印刷装置に対して送信可能にするＩＤデータの入力を受け付ける。印刷部は、ＩＤデータ入力受け付け部によりＩＤデータの入力が受け付けられれば、サーバーからインターネットを介して、推奨ルートマップの情報をダウンロードし、ダウンロードした推奨ルートマップの情報を基に画像を形成して印刷する。このように構成することにしてもよい。
【００３９】
図７は、この場合のテーマパーク内の状況を示す概念図である。図８は、この発明の他の実施形態に係る情報提供システムを用いて、ユーザーが、推奨ルートマップの情報を取得する場合の処理の流れを示すフローチャートである。
【００４０】
まず、図７を参照して、テーマパーク内の構成について説明すると、テーマパーク３６の入口３２の近傍には、印刷装置３７が設けられている。この印刷装置３７については、インターネット２０に接続されている。その他の構成については、図３に示す場合と同様であるため、それらの説明を省略する。
【００４１】
図７および図８を参照して、ユーザーは、自宅のコンピューターからサーバー１２に対し、推奨ルートマップの作成を要求する。そうすると、要求受け付け部１４は、推奨ルートマップの作成の要求を受け付ける（Ｓ２１）。その後、Ｓ２２〜Ｓ２７については、上記した図２におけるＳ１２〜Ｓ１７と同様の処理であるため、それらの説明を省略する。
【００４２】
そして、Ｓ２７において推奨ルートマップを作成後、コンピューターにＩＤデータを送信する（Ｓ２８）。このＩＤデータについては、テーマパーク３６に赴いた際に、印刷装置３７への入力により、推奨ルートマップが印刷されるものである。
【００４３】
ＩＤデータを受信したユーザーは、このＩＤデータを控えて、テーマパーク３６に向かう。テーマパーク３６に到着し、入口３２からテーマパーク３６内に入る。その後、入口３２付近にある印刷装置３７において、ＩＤデータを入力する。そうすると、印刷装置３７は、ＩＤデータの入力を受け付ける（Ｓ２９）。
【００４４】
その後、入力されたＩＤデータに基づいて、サーバー１２との間で認証を行い、入力されたＩＤデータが正しければ、推奨ルートマップを印刷装置３７にダウンロードする。印刷装置３７は、ダウンロードされた推奨ルートマップの印刷を行う（Ｓ３０）。ユーザーは、印刷された推奨ルートマップを手に持ってテーマパーク３６内を移動する。
【００４５】
このような構成によっても、効率よく要望するアトラクションを回ることができる。
【００４６】
なお、上記の実施の形態において、印刷装置３７はテーマパーク３６内に一つ設けることとしたが、これに限らず、印刷装置３７は、テーマパーク３６内に複数設けることとしてもよい。
【００４７】
また、上記の実施の形態において、推奨ルートマップの表示や印刷に際し、過去に訪問したアトラクション等であれば、その旨を表示や印刷することにしてもよい。また、推奨ルートマップの表示や印刷については、図３に示す場合におけるアトラクションのイベント開始時間や滞留予想時間、図４に示す場合における動物の活動時間や滞留予想時間、図６に示す場合におけるアトラクションのイベント開始時間や滞留予想時間、待ち時間等を併せて表示や印刷することにしてもよい。
【００４８】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４９】
この発明に係る情報提供システムは、効率よく要望するアトラクションを回ることが要求される場合に、特に有効に利用される。
【符号の説明】
【００５０】
１１  情報提供システム、１２  サーバー、１３，１９，２８  データベース、１４  要求入力受け付け部、１５  情報取得部、１６  推奨ルートマップ作成部、１７  サーバー情報送信部、１８  ハードディスク、２０  インターネット、２１  携帯端末装置、２２  携帯端末装置情報送信部、２３  表示部、２４  携帯端末装置情報受信部、２５  表示制御部、２６ａ，２６ｂ，２６ｃ，２６ｄ，２７ａ，２７ｂ，２７ｃ，２７ｄ，２９ａ，２９ｂ，２９ｃ，２９ｄ  情報、３１，３６  テーマパーク、３２  入口、３３  出口、３４ａ，３４ｂ，３４ｃ，３４ｄ  領域、３７  印刷装置。
【図１】
2017182645.tif 000003
【図２】
2017182645.tif 000004
【図３】
2017182645.tif 000005
【図４】
2017182645.tif 000006
【図５】
2017182645.tif 000007
【図６】
2017182645.tif 000008
【図７】
2017182645.tif 000009
【図８】
2017182645.tif 000010